(57)【特許請求の範囲】
【請求項１】
注水を受けながら切断装置により切断される路面の作業領域を囲む筒状カバーと、前記筒状カバーにより囲まれた前記作業領域における路面上の汚泥水を吸引する吸水パイプを備えた吸水装置と、前記吸水パイプに連通されるバキューム回収装置を有する路面切断装置における汚泥水回収装置において、
前記吸水装置(6)は、前記筒状カバー(5)の下端部に位置して前記作業領域を囲んで接地されるように円環状に形成された可撓性を有する座手段(10)と、
前記座手段の内周面に沿って設けられた吸水パイプ(8)と、前記吸水パイプに着脱自在に係着されるアタッチメント(20)を備えており、
前記吸水パイプ(8)は、路面に臨む多数の吸水口(14)を周方向に間隔をあけて列設すると共に、前記バキューム回収装置(7)に連通させられる吸引ポート(15)を設け、
前記アタッチメント(20)は、前記吸水パイプ(8)に着脱自在かつ前記吸水口(14)を密閉自在とする弾性部材により構成され、
前記アタッチメント(20)を吸水パイプ(8)の選択位置に取付けることにより、多数の吸水口のうち選択された吸水口(14)だけを密閉するように構成して成ることを特徴とする路面切断装置における汚泥水回収装置。
【請求項２】
前記アタッチメント(20)は、長手方向のスリット(21a)により周壁(21b)を開閉自在に分断された弾性チューブ部材(21)により形成され、前記周壁(21b)により吸水パイプ(8)の周面を着脱自在に抱持するように構成されて成ることを特徴とする請求項１に記載の路面切断装置における汚泥水回収装置。
【請求項３】
前記座手段(10)は、含水性を有する分厚い厚肉部材により形成され、作業領域の汚泥水を含水することにより重量を増すように構成されて成ることを特徴とする請求項１又は２に記載の路面切断装置における汚泥水回収装置。
【請求項４】
吸水パイプ(8)の周方向に間隔をあけて列設された吸水口(14)は、前記吸引ポート(15)に対して遠い吸水口から近い吸水口に向けて、隣り合う吸水口(14)(14)の相互間隔を次第に密とするように配置されて成ることを特徴とする請求項１、２又は３に記載の路面切断装置における汚泥水回収装置。
【請求項５】
前記座手段(10)を構成する厚肉部材は、連続気泡構造を有するスポンジ材により形成されて成ることを特徴とする請求項３に記載の路面切断装置における汚泥水回収装置。
【請求項６】
前記吸水パイプ(8)は、座手段(10)の内周面に沿う円環状に形成され、該円環の直径方向の第１軸線Ｘと、該第１軸線Ｘに直交する第２軸線Ｙに関して、
前記第１軸線Ｘと交わる吸水パイプ(8)の一方の２個所(Xa,Xb)に吸引ポート(15a,15b)が設けられ、
前記第２軸線Ｙと交わる吸水パイプ(8)の他方の２個所(Ya,Yb)から前記吸引ポート(15a,15b)の各々に向けて、隣り合う相互間隔を次第に密とするように多数の吸水口(14)を列設しており、
前記吸引ポート(15a,15b)のうちの一方を開閉自在に閉塞する閉塞手段(18)を設け、該閉塞手段により閉塞された吸引ポートから前記他方の２個所(Ya,Yb)に向けて列設された吸水口(14)を前記アタッチメント(20)により選択的に密閉するように構成して成ることを特徴とする請求項１、２、３、４又は５に記載の路面切断装置における汚泥水回収装置。
【発明の詳細な説明】
【技術分野】
【０００１】
本発明は、マンホール工事その他の路面工事に際し、注水を受けながら切断される路面の作業領域に生じる汚泥水を回収するための装置に関する。
【背景技術】
【０００２】
マンホール工事その他の路面工事において舗装路面を切断する場合、注水により切断装置のカッターを冷却しながら切断を行うので、切削粉を含有する汚泥水が周辺に広がり、環境汚染の問題を提起する。
【０００３】
このため、本出願人は、特許文献１に示すような汚泥水の回収装置（以下「先行技術」という。）を提案した。
【０００４】
上記の先行技術は、注水を受けながら切断装置により切断される路面の作業領域を囲む筒状カバーと、前記筒状カバーにより囲まれた前記作業領域における路面上の汚泥水を吸引する円環状の吸水パイプを備えた吸水装置と、前記吸水パイプに連通されるバキューム回収装置を有しており、前記吸水パイプの全周に吸水口を所定ピッチで設けている。
【０００５】
従って、路面の切断中に生じる汚泥水は、作業領域を囲む円環状の吸水パイプに設けられた吸水口に吸引され、バキューム回収装置に送られるので、筒状カバーの外部に流れ出すことが可及的に防止される。
【先行技術文献】
【特許文献】
【０００６】
【特許文献１】特許第３２４９８５６号公報
【発明の概要】
【発明が解決しようとする課題】
【０００７】
ところで、環境汚染の問題は、年々、条件が厳しくなり、特に、近隣の住民の意識向上等もあり、完璧な汚染防止が望まれている。このため、上記の汚泥水回収装置においても、作業領域内で大半の汚泥水を吸水するだけでは不十分であり、汚泥水が作業領域から外部に向けて全く流出しないように改良を施す必要がある。
【０００８】
更に、省エネルギーの観点からは、動力源の効率の最大化が求められている。このため、上記の汚泥水回収装置においても、汚泥水が作業領域の外部に流出することを防止する目的でバキューム回収装置の動力源を大型化又は高出力化することは好ましくなく、そのような大型化又は高出力化を回避しながら、汚泥水の吸水能力を向上させるための改良を加える必要がある。
【０００９】
本発明は、上述のような路面の切断中に生じる汚泥水が作業領域の外部に流出することを防止し、しかも、バキューム回収装置の動力源の出力に比して作業領域内の汚泥水の吸水効率を向上させた路面切断装置における汚泥水回収装置を提供することを課題とする。
【課題を解決するための手段】
【００１０】
そこで、本発明が手段として構成したところは、注水を受けながら切断装置により切断される路面の作業領域を囲む筒状カバーと、前記筒状カバーにより囲まれた前記作業領域における路面上の汚泥水を吸引する吸水パイプを備えた吸水装置と、前記吸水パイプに連通されるバキューム回収装置を有する路面切断装置における汚泥水回収装置において、前記吸水装置は、前記筒状カバーの下端部に位置して前記作業領域を囲んで接地されるように円環状に形成された可撓性を有する座手段と、前記座手段の内周面に沿って設けられた吸水パイプと、前記吸水パイプに着脱自在に係着されるアタッチメントを備えており、前記吸水パイプは、路面に臨む多数の吸水口を周方向に間隔をあけて列設すると共に、前記バキューム回収装置に連通させられる吸引ポートを設け、前記アタッチメントは、前記吸水パイプに着脱自在かつ前記吸水口を密閉自在とする弾性部材により構成され、前記アタッチメントを吸水パイプの選択位置に取付けることにより、多数の吸水口のうち選択された吸水口だけを密閉するように構成して成る点にある。
【００１１】
前記アタッチメントは、長手方向のスリットにより周壁を開閉自在に分断された弾性チューブ部材により形成され、前記周壁により吸水パイプの周面を着脱自在に抱持するように構成することが好ましい。
【００１２】
前記座手段は、含水性を有する分厚い厚肉部材により形成し、作業領域の汚泥水を含水することにより重量を増すように構成することが好ましい。この際、前記厚肉部材は、連続気泡構造を有するスポンジ材により形成することが好ましい。
【００１３】
吸水パイプの周方向に間隔をあけて列設された吸水口は、前記吸引ポートに対して遠い吸水口から近い吸水口に向けて、隣り合う吸水口の相互間隔を次第に密とするように配置することが好ましい。
【００１４】
本発明の好ましい実施形態において、前記吸水パイプは、座手段の内周面に沿う円環状に形成され、該円環の直径方向の第１軸線Ｘと、該第１軸線Ｘに直交する第２軸線Ｙに関して、前記第１軸線Ｘと交わる吸水パイプの一方の２個所Ｘａ、Ｘｂに吸引ポートが設けられ、前記第２軸線Ｙと交わる吸水パイプの他方の２個所Ｙａ、Ｙｂから前記吸引ポートの各々に向けて、隣り合う相互間隔を次第に密とするように多数の吸水口を列設しており、前記吸引ポートのうちの一方を開閉自在に閉塞する閉塞手段を設け、該閉塞手段により閉塞された吸引ポートから前記他方の２個所Ｙａ、Ｙｂに向けて列設された吸水口を前記アタッチメントにより選択的に密閉するように構成している。
【発明の効果】
【００１５】
本発明によれば、路面切断装置による路面切断に際して、汚泥水が作業領域の外部に流出することを確実に防止し、しかも、作業領域内の汚泥水の吸水能力を向上した汚泥水回収装置を提供できるという効果がある。
【図面の簡単な説明】
【００１６】
【図１】本発明の１実施形態に係る路面切断装置における汚泥水回収装置の全体を示す概略説明図である。
【図２】汚泥水回収装置の吸水装置を構成する座手段と吸水パイプを示す平面図である。
【図３】前記座手段と吸水パイプの断面を示しており、（Ａ）は図２のＡ−Ａ線断面図、（Ｂ）は図２のＢ−Ｂ線断面図である。
【図４】前記座手段と吸水パイプの断面を示しており、（Ａ）は吸引ポートにフレキシブルチューブを連結した状態を示す断面図、（Ｂ）は吸引ポートを閉塞手段により閉塞した状態を示す断面図である。
【図５】吸水装置のアタッチメントを示しており、（Ａ）はアタッチメントの好ましい実施形態を示す斜視図、（Ｂ）はアタッチメントにより吸水口を密閉した状態を示す断面図である。
【図６】閉塞手段とアタッチメントの１使用例を示す平面図である。
【図７】閉塞手段とアタッチメントの別の使用例を示す平面図である。
【発明を実施するための形態】
【００１７】
以下図面に基づいて本発明の好ましい実施形態を詳述する。
【００１８】
（概略構成）
図１は、路面切断装置における汚泥水回収装置の全体を概略的に示しており、上記の特許文献１と共通する部分を２点鎖線で図示している。
【００１９】
図例の路面切断装置１は、舗装路面Ｇを円形切断する円筒状ビットから成るカッター２を備え、該カッター２は、中心の駆動軸３から延びる位置決め軸４により舗装路面の切断中心を定められ、図示省略した駆動機構により駆動回転されることにより、舗装路面を円形に切断する。この際、図示矢印Ｗで示すように、図示省略した給水装置から、カッター２に向けて注水が行われ、該カッター２を冷却すると共に、切断粉等の粉塵の飛散を防止する。従って、注水された多量の水は、粉塵を含んだスラリー状の汚泥水を生成する。前記カッター２は、筒状カバー５により囲まれており、これにより、切断騒音が周囲に伝播されないように防音すると共に、汚泥水の周囲に対する飛散を防止する。尚、このような路面切断装置１は、クレーン車等のブームに昇降自在に吊持され、上昇させた不使用時には嵩低くなるように筒状カバー５の周壁に蛇腹を形成している。
【００２０】
そこで、前記筒状カバー５により囲まれた作業領域Ｍに生じる汚泥水を処理するため、吸水装置６とバキューム回収装置７が設けられる。吸水装置６は、前記作業領域Ｍを囲む円環状の吸水パイプ８を備え、作業領域Ｍの外部に設置されたチューブから成る吸引ライン９により、前記バキューム回収装置７に連絡されている。
【００２１】
従って、作業領域Ｍに生じた汚泥水は、吸水パイプ８に形成された吸水口に吸引され、吸引ライン９を経てバキューム回収装置７に回収される。上記は特許文献１により開示した公知の構成である。
【００２２】
（本発明の実施形態）
本発明の実施形態において、吸水装置６は、図１に示すように、前記筒状カバー５の下端部に位置して前記作業領域Ｍを囲んで接地されるように円環状に形成された可撓性を有する座手段１０と、該座手段１０の内周面に沿って設けられた前記吸水パイプ８と、後述するような吸水パイプ８に着脱自在に係着されるアタッチメント２０を備えている。
【００２３】
図２に示すように、前記座手段１０及び吸水パイプ８は、前記カッター２及び筒状カバー５と同心円を構成する環状に形成され、座手段１０の内周面に沿って吸水パイプ８を内装すると共に、周方向に間隔をあけて配置されたブラケット１２により相互に連結されている。
【００２４】
図３（Ａ）に示すように、座手段１０は、断面矩形の分厚い厚肉部材をエンドレスの円環状に延長させることにより形成されている。座手段１０を構成する厚肉部材は、少なくとも可撓性を有し、更に可撓性に加えて弾性を有することが好ましく、自在に変形することにより、下端面に形成した接地面１０ａを路面Ｇの傾斜や凹凸等に対応させ、路面Ｇに隙間のない状態で密接する。この際、座手段１０の厚肉部材は、含水性に優れたスポンジや、不織布等の積層体により形成することが好ましく、これにより作業領域の汚泥水を該厚肉部材に含水させることができ、含水時の座手段１０の重量を増すことにより、前記接地面１０ａを路面Ｇに密接状態で接地させることが可能になる。図示実施形態の場合、前記厚肉部材は、連続気泡構造を有するスポンジ材により形成され、上述のような弾性を備えた可撓性と、含水性の両者を兼備する。
【００２５】
前記吸水パイプ８は、座手段１０の内周面に沿って配置され、図示実施形態の場合、高さＨで示すように、該吸水パイプ８の下端縁を前記接地面１０ａの僅か上方に位置させた状態で、ブラケット１２に連結されている。図例の場合、ブラケット１２は、頭部１２ａを吸水パイプ８の上面に溶接その他により固着され、脚部１２ｂを座手段１０に刺突させた状態で固着されている。
【００２６】
前記吸水パイプ８は、内部に吸水路１３を形成するパイプ材をエンドレスの円環状に延長させることにより形成されており、図３（Ｂ）に示すように、路面Ｇに臨む吸水口１４を周方向に間隔をあけて多数列設している。各吸水口１４は、吸水パイプ８の中心から路面Ｇに直交して延びる垂線Ｖに対して角度θだけ傾斜した位置に開設されている。尚、角度θは、好ましくは２５度以下、図例の場合、１８度に形成されている。従って、座手段１０が含水により重量を増すことにより吸水パイプ８を降下させ、該吸水パイプ８の下端縁が路面Ｇに接触する場合でも、吸水口１３が塞がれることはなく、しかも、路面Ｇから遠過ぎないように近接した位置で作業領域の内側に向けて開口させられる。
【００２７】
図４（Ａ）に示すように、吸水パイプ８は、前記吸水路１３を外部に連通させるための吸引ポート１５を設けており、該吸引ポート１５は、吸水パイプ８から上向きに突出する連結スリーブ１６を備えている。これにより、上述した吸引ライン９を構成するフレキシブルチューブ１７が連結スリーブ１６に外挿され、図示省略した固定具により、抜止め状態として固定される。従って、上述のバキューム回収装置８を駆動したとき、吸引ライン９を介して吸水路１３の内部エアが吸引されることにより真空状態を生成し、作業領域のエアと共に汚泥水を吸水口１４から吸引する。
【００２８】
図４（Ｂ）に示すように、前記吸引ポート１５を開閉自在に閉塞する閉塞手段１８が準備されており、該閉塞手段１８は、前記連結スリーブ１６に挿脱自在に密嵌される栓部材１９により構成されている。従って、後述するように、必要に応じて、吸引ポート１５を閉塞手段１８により閉塞することが可能である。
【００２９】
尚、図示の場合、連結スリーブ１６は、吸水パイプ８から斜め上向きに立設され、スポンジ材から成る座手段１０を弾性変形させているが、連結スリーブ１６を吸水パイプ８の外周面に対し回動自在に構成しても良い。この場合、連結スリーブ１６は、Ｔ形の継手管により形成し、円環中途で分断した吸水パイプ８の端部を相互に連結スリーブ１６で連結するように構成すれば良い。
【００３０】
図２に示すように、前記吸水パイプ８は、円環の直径方向に向かう第１軸線Ｘと、該第１軸線Ｘに直交する第２軸線Ｙに関して、前記第１軸線Ｘと交わる一方の２個所Ｘａ、Ｘｂと、前記第２軸線Ｙと交わる他方の２個所Ｙａ、Ｙｂとしたとき、前記一方の２個所Ｘａ、Ｘｂに吸引ポート１５ａ、１５ｂを配置している。そこで、吸水パイプ８に列設される多数の吸水口１４（図示破線で示す）は、前記吸引ポート１５ａ、１５ｂの各々から前記他方の２個所Ｙａ、Ｙｂに向けて列設された吸水口１４の１群を一つのユニットＵとして構成されている。
【００３１】
図示のように、一方の個所Ｘａと他方の個所Ｙａの間に位置するユニットＵは、吸引ポート１５ａに対して遠い吸水口１４（他方の個所Ｙａに近接する吸水口１４）から、該吸引ポート１５ａに近い吸水口１４（一方の個所Ｘａに近い吸水口１４）に向けて、隣り合う吸水口１４、１４の相互間隔を次第に密とするように配置されている。一方の個所Ｘａと他方の個所Ｙｂの間に列設された吸水口１４も同様の間隔で配置されている。更に、別の一方の個所Ｘｂとそれぞれ他方の個所Ｙａ、Ｙｂの間に列設された吸水口１４も同様の間隔で配置され、第２軸線Ｙに対して線対称となるように配置されている。
【００３２】
吸水装置６は、図５に示すようなアタッチメント２０を備えており、該アタッチメント２０により多数の吸水口１４・・・のうち選択された位置と選択された個数の吸水口１４を密閉することが可能となるように構成している。
【００３３】
前記アタッチメント２０は、吸水パイプ８の外周面を着脱自在に抱持した状態で吸引口１４を密閉する弾性部材により構成され、図示実施形態の場合、図５（Ａ）に示すように、長手方向のスリット２１ａにより周壁２１ｂを分断された弾性チューブ部材２１により形成されている。従って、常時は、スリット２１ａを閉じているが、鎖線で示すように、スリット２１ａを押し広げ、弾性変形させることにより、周壁２１ｂを開閉自在とする。尚、図示の曲率半径Ｒで示すように、弾性チューブ部材２１が円弧状に湾曲するように曲がり癖を付けておけば、吸水パイプ８に対する装着作業が容易となる。
【００３４】
上記の弾性変形を介して、アタッチメント２０を吸水パイプ８の外周面に抱持させると、図５（Ｂ）に示すように、吸水口１４が密閉される。
【００３５】
（第１使用例）
上記構成とされた吸水装置６の第１使用例を図２に示している。この場合、上記の閉塞手段１８及びアタッチメント２０は使用せず、一対の吸引ポート１５ａ、１５ｂに吸引ライン９、９が接続され、バキューム回収装置８の駆動により、吸引パイプ８の全周にわたり列設された多数の吸引口１４から汚泥水を吸引する。
【００３６】
（第２使用例）
図６は、吸水装置６の第２使用例を示しており、図示のように、路面が傾斜し、図面右側の高位置から図面左側の低位置に向けて下り勾配が形成されているときの使用例を示している。この場合、吸水装置６は、第１軸線Ｘを勾配方向に向けて配置した状態で路面に接地され、高位置の側の吸引ポート１５ａを閉塞手段１８により閉塞し、第２軸線Ｙよりも高位置の側の吸水口１４の全てをアタッチメント２０により密閉する。そこで、低位置の側の吸引ポート１５ｂに吸引ライン９を接続し、バキューム回収装置８の駆動により、第２軸線Ｙよりも低位置の側で開口された多数の吸水口１４から汚泥水を吸引する。
【００３７】
第２使用例の場合、作業領域で生成される汚泥水は、図示矢印Ｆ１で示すように高位置から低位置に向けて流れるので、上述のように高位置の側の吸引ポート１５ａ及び吸水口１４を閉じることにより、低位置の側の吸水口１４の吸引力が高まり、汚泥水を力強く吸引することが可能となる。
【００３８】
しかも、低位置に向けて流れる汚泥水は、円環状に形成された吸水パイプ８及び座手段１０に沿って図示矢印Ｆ２で示すように吸引ポート１５ｂに向けて集合させられるが、上述のように、吸引ポート１５ｂに近づくに従って、吸水口１４の間隔を密とするように配置しているので、流量分布に応じた個数の吸水口１４により汚泥水を好適に吸引することが可能となる。
【００３９】
（第３使用例）
図７は、吸水装置６の第３使用例を示しており、例えば、椀に膨隆した路面の裾野部分のように、図面右側の高位置から、図面左側の低位置に向けて下り勾配が形成され、しかも、前記高位置から第２軸線Ｙの方向に向けても下り勾配が形成されているときの使用例を示している。この場合、吸水装置６は、第１軸線Ｘを勾配方向に向けて配置した状態で路面に接地され、高位置の側の吸引ポート１５ａを閉塞手段１８により閉塞し、該吸引ポート１５ａの近隣で間隔を密として配列された吸水口１４をアタッチメント２０により密閉する。そこで、低位置の側の吸引ポート１５ｂに吸引ライン９を接続し、バキューム回収装置８の駆動により、開口させられ多数の吸水口１４から汚泥水を吸引する。
【００４０】
第３使用例の場合、作業領域で生成される汚泥水は、高位置から三方の低位置に向けて流れるので、高位置の側の吸引ポート１５ａ及び吸水口１４を閉じることにより、低位置の側の吸水口１４の吸引力が高まり、汚泥水を力強く吸引することが可能となる。吸水パイプ８及び座手段１０の円環に沿って流れる汚泥水の流量分布は、吸引ポート１５ｂに向けて集合させられる流量が最大となるが、上述のように、吸引ポート１５ｂに近づくに従って、吸水口１４の間隔を密とするように配置しているので、流量分布に応じた個数の吸水口１４により汚泥水を好適に吸引することが可能となる。
【００４１】
（その他の使用態様）
上記の使用例の他、本発明によれば、前記アタッチメント２０を吸水パイプ８の所望の選択位置に取付けることにより、多数の吸水口１４のうち選択された所望の吸水口１４だけを密閉した状態で使用することが可能である。
【００４２】
尚、図示実施形態の場合、前記アタッチメント２０は、同じ長さに形成されたものが複数個用意され、従って、異なる使用例に使用可能な共通部品として提供される。しかしながら、本発明が図示実施例に限定されないことは勿論であり、その他の種々の使用態様に応じて、異なる長さのアタッチメント２０を用意しても良い。
【００４３】
本発明の実施形態において、バキューム回収装置８は、図１に示すように、コンプレッサ等の動力源２２と吸引ライン９の間にドラム缶等の回収容器２３を設けている。従って、吸水装置６により吸引した多量の汚泥水を大容量の回収容器２３により回収することが可能である。しかも、動力源２２と吸引ライン９の間において、回収容器２３が取替自在とされるので、作業中、満杯となった回収容器２３を新たな空の回収容器２３と交換することにより、作業の中断時間の短縮化に資することができる。
【符号の説明】
【００４４】
１  路面切断装置
２  カッター
５  筒状カバー
６  吸水装置
７  バキューム回収装置
８  吸水パイプ
９  吸引ライン
１０  座手段
１０ａ  接地面
１３  吸水路
１４  吸水口
１５、１５ａ、１５ｂ  吸引ポート
１８  閉塞手段
１９  栓部材
２０  アタッチメント
２１  弾性チューブ部材
２１ａ  スリット
２１ｂ  周壁
２２  動力源
２３  回収容器
【図１】
0005492847.tif 000002
【図２】
0005492847.tif 000003
【図３】
0005492847.tif 000004
【図４】
0005492847.tif 000005
【図５】
0005492847.tif 000006
【図６】
0005492847.tif 000007
【図７】
0005492847.tif 000008